(57)【要約】  本発明は、パラメータ化された内容を有するドキュメントを自動的に生成する方法、及び対応ジェネレータに関する。詳細には、本人の代わりにアクションを行う権限を代理人に与えるように意図された代理状又は委任状の自動生成に適用可能である。ドキュメントＰは、所定のレイアウト（ＭＰ）にしたがって表示される複数のパラグラフ（ｐａｒｉ）を含み、パラグラフのうちの少なくとも１つのパラグラフの内容とレイアウトは、少なくとも１つのパラメータに基づく。第１のパラメータの値は、データベース（Ｂ）内に階層的に編成された値（Ｉｖｐ１）の第１のリストから選択される。パラグラフに可能な様々なタイプのレイアウト（ＭＰ）と様々な内容もまた含む、データベース（Ｂ）に対するリクエストは、第１のパラメータの選択値と関連付けられたレイアウト（ＭＰ）と、パラグラフごとの内容とを得るために生成モジュール（ＭＧ）によって実行される。この選択値と関連付けられたレイアウト（ＭＰ）が、データベース（Ｂ）にないときに、リクエストは、前記第１のパラメータの選択値より高い階層レベルの第１のパラメータの値と関連付けられたレイアウト（ＭＰ）を返す。組み合わせ又は代替として、この選択値と関連付けられた内容がデータベース（Ｂ）内にないときに、リクエストは、パラグラフごとに、前記第１のパラメータの選択値より高い階層レベルの第１のパラメータの値と関連付けられた内容を返す。電子形式で生成モジュール（ＭＧ）によって生成されるドキュメント（Ｐ）は、リクエストによって返されかつリクエストによって返されたレイアウト（ＭＰ）にしたがって表示されるパラグラフの内容を含む。
2015519647.tif 000002
【特許請求の範囲】
【請求項１】
特に本人の代わりに代理人がアクションを行う権限を与えるように意図された代理型のドキュメント（Ｐ）を自動的に生成する方法において、前記ドキュメント（Ｐ）が、複数のパラグラフ（ｐａｒｉ）を含み、前記複数のパラグラフ（ｐａｒｉ）のうちの少なくとも１つのパラグラフが、特定のレイアウト（ＭＰ）にしたがって表示され、前記パラグラフ（ｐａｒｉ）のうちの少なくとも１つのパラグラフの前記内容及び前記レイアウトが、少なくとも１つの第１のパラメータ（ｐ１）に依存する方法であって、
データベース（Ｂ）に階層的に編成された値（Ｉｖｐ１）の第１のリストから、前記第１のパラメータ（ｐ１）の値（ｖｐ１）を選択する第１のステップ（Ｓ）と、
前記パラグラフ（ｐａｒｉ）のすべて又は一部のための様々なタイプのレイアウト（ＭＰ）と様々な可能な内容を含むデータベース（Ｂ）においてリクエスト（Ｒ）を行って、前記第１のパラメータ（ｐ１）の前記選択値（ｖｐ１）と関連付けられた、前記レイアウト（ＭＰ）と、パラグラフ（ｐａｒｉ）ごとに、前記パラグラフ（ｐａｒｉ）の前記内容を取得するステップであって、前記リクエスト（Ｒ）が、前記選択値（ｖｐ１）と関連付けられた前記レイアウト（ＭＰ）が、前記データベース（Ｂ）内にないときに、この第１のパラメータ（ｐ１）の前記選択値（ｖｐ１）より高い階層レベルの前記第１のパラメータ（ｐ１）の値（ｖｐｓｕｐ）と関連付けられた前記レイアウトを返し、かつ／又は、パラグラフ（ｐａｒｉ）ごとに、前記選択値（ｖｐ１）と関連付けられた前記内容が、前記データベース（Ｂ）内にないときに、この第１のパラメータ（ｐ１）の前記選択値（ｖｐ１）より高い階層レベルを有する前記第１のパラメータ（ｐ１）の値（ｖｐｓｕｐ）と関連付けられた前記内容を返すステップと、
前記リクエスト（Ｒ）によって返され、前記リクエスト（Ｒ）によって返された前記レイアウト（ＭＰ）にしたがって表示される前記パラグラフ（ｐａｒｉ）の前記内容を含む前記ドキュメント（Ｐ）を電子形式で生成するステップ（Ｇ）と
を含む方法。
【請求項２】
前記ドキュメント（Ｐ）が、内容が可変である、少なくとも１つのパラグラフ（ｐａｒｉ）を含む、請求項１に記載の方法。
【請求項３】
前記パラグラフの前記内容が、前記データベース（Ｂ）に記憶されないか又は部分的にのみ記憶され、１つ以上の変数に依存し、入力フォームに入力するステップ、又は別のデータベース内に前記変数の前記値を回復させるステップを含み、前記ドキュメント（Ｐ）を生成する前記ステップ（Ｇ）が、前記値を前記パラグラフ（ｐａｒｉ）の前記内容に挿入する、請求項２に記載の方法。
【請求項４】
少なくとも１つのパラメータ（ｐ１）の前記値に依存する入力フォームを生成するステップを含む、請求項３に記載の方法。
【請求項５】
少なくとも１つのパラメータ（ｐ１）を選択する前記ステップが、少なくとも１つの他のパラメータの前記値及び／又はユーザによって入力された値にしたがって自動的に行なわれる、請求項１〜４のいずれかに記載の方法。
【請求項６】
前記パラグラフ（ｐａｒｉ）のうちの少なくとも１つのパラグラフの前記内容及び前記レイアウトが、複数のパラメータ（ｐｉ）に依存し、各パラメータ（ｐｉ）が、値（Ｉｖｐｉ）のリストから値（ｖｐｉ）を取得することができ、値（Ｉｖｐｉ）の前記リストのすべて又は一部が、階層的に編成され、前記選択するステップ（Ｓ）が、前記パラメータ（ｐｉ）の前記それぞれの値（ｖｐｉ）を選択するステップを含む、請求項１〜５に記載の方法。
【請求項７】
前記パラグラフ（ｐａｒｉ）のうちの少なくとも１つのパラグラフの前記内容及び前記レイアウトが、前記第１及び少なくとも１つの第２のパラメータ（ｐ１，ｐ２）に依存し、前記第２のパラメータ（ｐ２）が、前記第１（ｐ１）に依存する、請求項６に記載の方法。
【請求項８】
前記選択ステップ（Ｓ）が、前記データベースに記憶された値（Ｉｖｐ２）の第２のリストからの前記第２のパラメータ（ｐ２）の値（ｖｐ２）の選択を含み、必要に応じて、前記第１のパラメータ（ｐ１）の前記選択値（ｖｐ１）により階層的に編成された、請求項７に記載の方法。
【請求項９】
特に本人の代わりにアクションを行う権限を代理人に与えるように意図された前記代理型のドキュメント（Ｐ）を自動的に生成するシステムにおいて、前記ドキュメント（Ｐ）が、複数のパラグラフ（ｐａｒｉ）を含み、前記複数のパラグラフ（ｐａｒｉ）のうちの少なくとも１つのパラグラフが、特定のレイアウト（ＭＰ）にしたがって表示され、前記パラグラフ（ｐａｒｉ）のうちの少なくとも１つのパラグラフの前記内容及び前記レイアウトが、少なくとも１の第１のパラメータ（ｐｉ）に依存し、前記第１のパラメータ（ｐ１）の前記可能な値が、データベース（Ｂ）に記憶された値（Ｉｖｐ１）の第１のリストに階層的に編成され、前記第１のパラメータ（ｐ１）の前記可能な値と関連付けられた前記パラグラフ（ｐａｒｉ）の全て又は一部のパラグラフの様々なタイプのレイアウト（ＭＰ）と前記様々な可能な内容が、前記データベースに記憶されたシステムであって、
前記データベース（Ｂ）におけるリクエスト（Ｒ）を行って、前記第１のパラメータ（ｐ１）の決定値（ｖｐ１）と関連付けられた、前記レイアウト（ＭＰ）と、パラグラフ（ｐａｒｉ）ごとに前記内容とを取得することができ、前記リクエスト（Ｒ）は、
前記前記決定値（ｖｐ１）と関連付けられた前記レイアウト（ＭＰ）が、前記データベース（Ｂ）内にないときに、前記第１のパラメータ（ｐｉ）の前記決定値（ｖｐ１）より高い階層レベルを有する前記第１のパラメータ（ｐ１）の値（ｖｐｓｕｐ）と関連付けられた前記レイアウト（ＭＰ）、及び／又は
パラグラフ（ｐａｒｉ）ごとに、前記決定値（ｖｐ１）と関連付けられた前記内容が、前記データベース（Ｂ）内にないときに、前記第１のパラメータ（ｐ１）の前記決定値（ｖｐ１）より高い階層レベルを有する前記第１のパラメータ（ｐ１）の値（ｖｐｓｕｐ）と関連付けられた前記内容とを取得することを可能にし、
前記リクエスト（Ｒ）によって返された前記レイアウト（ＭＰ）にしたがって表示された前記リクエスト（Ｒ）によって返された前記パラグラフ（ｐａｒｉ）の前記内容を含むドキュメント（Ｐ）を電子形式での生成することができる
生成モジュール（ＭＧ）を含むシステム。
【請求項１０】
少なくとも１つのパラグラフ（ｐａｒｉ）の前記内容が、前記データベース（Ｂ）に記憶されないか又は部分的にのみ記憶されかつ１つ以上の変数に依存するシステムであって、前記生成モジュール（ＭＧ）が、入力フォーム又は別のデータベースにおける前記変数の前記値を回復し、前記値を前記パラグラフ（ｐａｒｉ）の前記内容に挿入することができる、請求項９に記載のシステム
【請求項１１】
少なくとも１つのパラメータの値にしたがって入力フォームを生成できる手段を備える、請求項１０に記載のシステム。
【請求項１２】
本人に代わってアクションを行う権限を代理人に与えられるように意図された特に代理型のドキュメント（Ｐ）であって、前記ドキュメント（Ｐ）が、複数のパラグラフ（ｐａｒｉ）を含み、前記複数のパラグラフ（ｐａｒｉ）のうちの少なくとも１つのパラグラフが、特定のレイアウト（ＭＰ）にしたがって表示され、前記パラグラフ（ｐａｒｉ）のうちの少なくとも１つのパラグラフの前記内容及び前記レイアウトが、少なくとも１つの第１のパラメータ（ｐ１）に依存する、請求項１〜８のいずれかによる方法によって取得されたドキュメント。
【発明の詳細な説明】
【技術分野】
【０００１】
本発明の主題は、パラメータ化された内容を有するドキュメントを自動的に生成する方法及び対応ジェネレータである。
【背景技術】
【０００２】
本発明は、特に、本人の代わりにアクションを行うことを代理人に権限を与えるように意図された代理状や委任状などのドキュメントの自動生成に用途を見いだす。ドキュメントは、特に少なくとも１つの第１のパラメータに依存して、特定のレイアウトにしたがってフォーマットされた複数のパラグラフ、前記パラグラフのうちの少なくとも１つのパラグラフの内容及びレイアウト、特にパラグラフの位置を含む。
【０００３】
多くの状況で、人（自然人又は法人）は、実際的な理由（距離、時間の不足）及び／又は法的理由（このアクションを自分で行う権限がない）のために、特定のアクションを自分自身で行うことができない。したがって、この人は、このアクションを、自分の代わりに別の自然人又は法人に行なわせなければならない。
【０００４】
例えば、法的及び／又は行政的アクションを行うために、弁護士又は法律事務所が、国家又は地方管轄権に対して人の代理をすることを許可する委任状を挙げることができる。
【０００５】
そのような委任状の管理は、管理上で困難で複雑なことがある。この事例は、特に、いくつかの管轄権に対してアクションを行いたい人が、関係するすべての管轄権内で前記アクションを行なうことの権限を有しない自分の通常弁護士と連絡をとる通常の状況である。そのような場合、その弁護士は、関係する様々な管轄権に対して自分の依頼者の代理をするために権限を有する弁護士のネットワークに頼り、また自分の依頼者に、アクションを行わなければならない管轄権ごとに異なる委任状に署名させる責務を引き受けなければならない。この問題は、特に、特許、商標又は意匠及び実用新案に関連するアクション（出願、取り下げなど）を行う場合に生じる。
【０００６】
そのような場合、弁護士は、権限を有する人と１人ずつ連絡をとり、署名のために依頼者（権限を与える）に送らなければならない委任状書式を１つずつ受け取り、次にそれを様々な管轄権によるアクションを行うために自分のネットワークの様々な弁護士に送り返さなければならない。
【０００７】
この管理を単純化するために、スキャンされデータベースに記憶された委任状の集合又はドキュメント生成テンプレートの概念に基づくシステム及び方法が知られている。
【発明の概要】
【発明が解決しようとする課題】
【０００８】
しかしながら、そのようなシステム及び方法には、保守、情報の記憶と回復の有効性、及び使用の問題が生じる。
詳細には、そのようなシステム又は方法でドキュメントを補正するには、その補正がわずかな場合でも、ドキュメントの番号を変更するか又は新しいテンプレートを開発する必要がある。
【０００９】
同様に、補正が１組のドキュメントに行われるときは、各ドキュメントと各テンプレートの変更を必要とする。
【課題を解決するための手段】
【００１０】
したがって、本発明の目的は、特に前述の問題及び欠点に対する解決策を提供することである。
【００１１】
したがって、本発明は、第１の態様によれば、本人の代わりにアクションを行う権限を代理人に与えるように意図された代理型のドキュメント、例えば、１つ以上の工業所有権権を管理する国又は地域工業所有権庁に対して依頼者の代理をする権限を弁護士又は弁理士に与える委任状などのドキュメントを自動的に生成する方法に関する。
【図面の簡単な説明】
【００１２】
【図１】本発明の実施形態に係るコンピュータシステムの構成例を示す図である。
【発明を実施するための形態】
【００１３】
ドキュメントは、複数のパラグラフを含み、複数のパラグラフのうちの少なくとも１つのパラグラフは、少なくとも１つの第１のパラメータに依存する特定のレイアウトにしたがって表示される。
【００１４】
このパラメータは、ドキュメントを生成するコンテキストを決定する。
【００１５】
したがって、内容及びレイアウト、特にパラグラフのうちの少なくとも１つのパラグラフの位置は、この第１のパラメータに依存する。
【００１６】
方法は、データベース内に階層的に編成された値の第１のリストから第１のパラメータの値を選択する第１のステップを含む。
【００１７】
また、データベースは、パラグラフのすべて又は一部に可能な様々なタイプのレイアウト及び様々な内容を含む。
【００１８】
第１のパラメータの選択値と関連付けられたレイアウト、及びパラグラフごとには、このパラグラフの内容は、データベースにおけるリクエストによって得られる。
【００１９】
第１のパラメータの選択値と関連付けられたレイアウトが、データベース内にないとき、リクエストは、この第１のパラメータの選択値より高い階層レベルを有する第１のパラメータの値と関連付けられたレイアウトを返す。
【００２０】
代替又は追加で、パラグラフごとに、この第１のパラメータの選択値と関連付けられたこのパラグラフの内容が、データベース内にないとき、リクエストは、この第１のパラメータの選択値より高い階層レベルを有する第１のパラメータの値と関連付けられた内容を返す。
【００２１】
方法は、また、電子形式のドキュメントを生成するステップを含み、このドキュメントは、リクエストによって返されかつリクエストによって返されたレイアウトにしたがって表示されるパラグラフの内容を含む。
【００２２】
本発明による第１のパラメータの値の階層的編成及び方法によるその使用により、値と関連付けられたレイアウト及び／又は内容がない場合は、あるドキュメントから別のドキュメントに繰り返される特定のパラグラフ内容を相関させることができる。
【００２３】
この相関により、記憶される情報量を減らしかつ相関を容易にすることができる。例えば、生成される新しいドキュメントの作成が容易になり、その内容は、データベース内にある他のドキュメントに近くなる。また、データベース内にある一連のドキュメントに対する同じ補正の適用が容易になる。
【００２４】
本発明の方法によるこの階層的編成及びその使用により、汎用的種類のドキュメントを常に生成することができ、即ち、ドキュメントの内容及び／又はレイアウトが、そのような値の階層的編成においてできるだけ高い第１のパラメータの値と関連付けられ、この可能な最高レベルは、内容及び／又はレイアウトがデータベース内にある選択値（これが当該の値のことがある）に最も近い値に対応する。
【００２５】
特に、パラメータの選択値で内容及び／又はレイアウトに起因しない場合、方法は、パラメータの可能な値を１階層レベル上げ、
そのような内容及び／又はレイアウトが、この高い方のレベルのデータベース内にある場合は、高い方のレベルのパラメータ値の内容及び／又はレイアウトをパラグラフに与えるか、
再びパラメータの可能な値を１階層レベル上げ、これは、パラメータ値に関連する内容及び／又はレイアウトが見つかるまで続く。
【００２６】
表現「データベース内にない」は、パラメータの値と関連付けられた情報（レイアウト、内容など）の問題がある場合に、パラメータの前記値に関して、データベースが、例えばデータベース内の空フィールドによって表わされることがある関連情報の値を含まないことを意味する。
【００２７】
レイアウトは、パラグラフの内容がドキュメント内にどのように表示されるかを意味する。したがって、レイアウトは、位置、表示フォント、表示フォントサイズ、表示色、下線引き、フレーミングなどに関する特徴を含むことがある。
【００２８】
変形実施形態では、少なくとも１つのパラグラフの内容が可変である。したがって、内容は、個別化可能なことがある。
【００２９】
したがって、例えば、生成されるドキュメントは、少なくとも１つのパラグラフを含むことがあり、その内容は、データベースに記憶されないか部分的にのみ記憶され、１つ以上の変数に依存し、その変数の値は、例えば、ユーザによって直接入力されるか（その場合は、値が編集可能である）、別のデータベースにおけるリクエストによって得られる。
【００３０】
次に、ドキュメントを生成するステップは、入力フォームに入力するステップ、又は別のデータベースからそのような変数の値を回復させるステップ、及びそのような値をパラグラフの内容に挿入するステップを含む。
【００３１】
したがって、ドキュメントを生成するステップは、パラグラフを、入力されたか、別のデータベースから回復させ変数で記憶された変数の値で埋めるか又は完成させる。
【００３２】
別の特定の実施形態によれば、この場合、方法は、少なくとも１つのパラメータの値に依存する入力フォームを生成するステップを含む。
【００３３】
したがって、フォーム自体は、１つ以上のパラメータの値、特にドキュメント生成コンテキストに依存する。これは、方法に大きな柔軟性を提供し、これにより、コンテキストにしたがって、このコンテキストに依存するフォームをユーザに提案することもしないこともできる。
【００３４】
変形物では、少なくとも１つのパラメータを選択するステップは、少なくとも１つの他のパラメータの値及び／又はユーザによって入力された値によって自動的に行われる。例えば、特許に関連する委任状を生成するコンテキストでは、特許番号を入力することによって、その言葉を、パラメータの値を構成することがある公開データベースから回復させることができる。
【００３５】
別の変形実施形態では、必要に応じて以前の実施形態と組み合わせで、パラグラフのうちの少なくとも１つのパラグラフの内容及びレイアウト（特に位置）が、複数のパラメータに依存し、各パラメータは、値のリストからの値を採用することができ、そのような値のリストの全て又は一部は、階層的に編成される。
【００３６】
この複数のパラメータは、ドキュメントを生成するためのコンテキストを決定する。
【００３７】
次に、選択ステップは、そのようなパラメータのそれぞれの値を、それぞれの値の複数のリストから選択するステップを含む。
【００３８】
いくつかのパラメータの値がすべて階層的に編成されている場合、方法は、本発明により、パラメータを考慮しなければならない順序と、階層で分析されたそのようなパラメータの値を提供することができる。方法は、また、このコンテキストで値が互いにリクエストされる方法を提供することができ、詳細には、例えば、第１のパラメータの値が、内容及び／又はレイアウトを見つけるために階層内で１つずつ分析され、第２のパラメータの値を分析する際に、最初に選択されたような第１のパラメータの値、又は内容及び／又はレイアウトがデータベース内にあるもっと高い階層の値を有する第１のパラメータの値が考慮されるべきであるという問題の場合である。
【００３９】
変形実施形態では、パラグラフのうちの少なくとも１つのパラグラフの内容及びレイアウトが、第１及び少なくとも第２のパラメータに依存し、第２のパラメータは、第１のパラメータに依存する。
【００４０】
したがって、第２のパラメータのために提案された値のリスト又は第２のパラメータの値のリストを提案する真の事実は、第１のパラメータの値に依存する。
【００４１】
特にこの場合、選択ステップは、データベースに記憶され、必要に応じて階層的に編成された第２の値リストから第２のパラメータの値の選択を含み、これは、第１のパラメータの選択値に依存する。
【００４２】
この場合、パラグラフが可変内容を有する場合、この内容の個人化は、記入されるフォームの生成によるかデータベース内の情報の回復によるかに関わらず、生成コンテキストと、特に種々のパラメータに関して入力された値に依存することがあることに注意されたい。
【００４３】
本発明は、また、第２の態様によれば、本人の代わりに代理人がアクションを行う権限を与えるように意図された委任状型のドキュメントなどのドキュメントを自動的に生成するためのシステムに関する。
【００４４】
ドキュメントは、複数のパラグラフを含み、その少なくとも１つのパラグラフは、特定のレイアウトにしたがって表示され、これらのパラグラフのうちの少なくとも１つのパラグラフの内容及びレイアウトは、少なくとも１つの第１のパラメータに依存することがある。
【００４５】
第１のパラメータの可能な値は、データベースに記憶された値の第１のリストに階層的に編成される。
【００４６】
第１のパラメータの値と関連付けられたパラグラフの様々な可能な内容及び様々なタイプのレイアウトは、データベースに記憶される。
【００４７】
システムは、第１のパラメータの決定値から、第１のパラメータの決定値と関連付けられたパラグラフの内容及びそのようなパラグラフのレイアウトを得るために、データベースにリクエストを行うことができる生成モジュールを含む。
【００４８】
生成モジュールは、第１のパラメータの決定値と関連付けられたレイアウトが、データベース内に存在しない場合に、リクエストは、この第１のパラメータの決定値より高い階層レベルを有する第１のパラメータの値と関連付けられたレイアウトを返すように構成される。
【００４９】
以上の特徴と組み合わせて、あるいは以上の特徴の代わりに、パラグラフごとに、第１のパラメータの値と関連付けられた内容が、データベース内にない場合、リクエストは、この第１のパラメータの値より高い階層レベルを有する第１のパラメータの値と関連付けられた内容を返す。
【００５０】
更に、生成モジュールは、また、リクエストによって返されたパラグラフの内容を含む、リクエストによって返されたレイアウトにより表示される電子形式のドキュメントを生成することができる。
【００５１】
本発明のシステムは、本発明の方法によって獲得された前述の利点と類似の利点を獲得する。
【００５２】
より一般に、データベースは、知識ベースに含まれる。
【００５３】
変形実施形態では、少なくとも１つのパラグラフの内容が可変である。したがって、この内容は、個別化可能である。
【００５４】
したがって、例えば、少なくとも１つのパラグラフの内容は、データベースに記憶されないか部分的にのみ記憶されるが、ユーザによって直接入力されてもよく（この場合、値は編集可能である）、別のデータベースのリクエストによって得られてもよい。
【００５５】
次に、生成モジュールは、入力フォームに又は別のデータベースのリクエストによって変数の値を回復させ、またそのような値をパラグラフの内容に挿入することができる。
【００５６】
したがって、ドキュメントを生成するステップは、パラグラフを、入力されたか他のデータベースに又は回復され変数で記憶された内容で埋めるか又は完成させる。
【００５７】
特定の実施形態によれば、この場合、システムは、少なくとも１つのパラメータの値にしたがって入力フォームを生成できる手段を含む。
【００５８】
本発明は、また、第３の態様によれば、特に本人の代わりにアクションを行う権限を代理人に与えるように意図された委任状型のドキュメントに関連し、このドキュメントは、特定のレイアウトにしたがって表示される複数のパラグラフを含み、パラグラフのうちの少なくとも１つのパラグラフの内容及びレイアウトが、少なくとも１つの第１のパラメータに依存し、ドキュメントは、前述の方法によって得られる。
【００５９】
本発明の他の特徴及び利点は、添付図面と関連して非限定的な例により示される好ましい変形実施形態及び実施態様の以下の記述を読むことにより、より明らかになり、図１は、他の要素の中でも特に、本発明による方法を実現するための本発明によるシステムの例の主な要素を概略的に示す。
【００６０】
本発明は、以下に、地域団体又は権威者に現地代理人が申請者の代わりにアクションを行うことを可能にするように意図された委任状からなるドキュメントの生成の例を使用して示される。
【００６１】
これは、例えば、工業所有権の分野では、所轄の地域団体に特許出願を出願するか商標を登録する委任状のことがある。
【００６２】
委任状（Ｐ）は、特定のレイアウト（ＭＰ）にしたがって配置されたパラグラフ（ｐａｒｉ）で編成される。
【００６３】
図１に示された例では、ドキュメント（Ｐ）は、所定の場所に位置決めされ、特定の表示フォント、特定のサイズ、下線の有無、太字の有無で表示された６つのパラグラフｐａｒ１〜ｐａｒ６を含む。
【００６４】
レイアウトは、パラグラフの内容が表示される位置と方法を決定するすべての表示特徴を意味する。したがって、これは、位置特徴とは別に、表示フォントの特徴、表示フォントサイズ、表示色、下線付き、フレーミングなどの場合がある。
【００６５】
パラグラフ（ｐａｒｉ）のこのレイアウト（ＭＰ）と内容は、特定数のパラメータ（ｐｉ）、この場合は、委任状が出されるアクションの種類からなる第１のパラメータ（ｐ１）、アクションが行われる地域団体からなる第２のパラメータ（ｐ２）、及び生成される委任状（Ｐ）の特定又は一般的な種類からなる第３のパラメータ（ｐ３）に依存する。
【００６６】
これらのパラメータｐ１、ｐ２、ｐ３は、データベース（Ｂ）に記憶された値Ｉｖｐ１、Ｉｖｐ２、及びＩｖｐ３のリストに一緒にされた値をとってもよい。
【００６７】
したがって、図１の例では、データベース（Ｂ）は、アクション（ｐ１）の種類の様々な可能な値（出願、取り下げなど）を含む。したがって、アクションの種類又はタイプは、ドキュメント（Ｐ）のパラグラフの内容及びレイアウトの決定に関与する第１のパラメータを構成する。
【００６８】
同様に、データベース（Ｂ）は、この例では、アクション（ｐ１）を行わなければならない地域団体（ｐ２）の様々な可能な値（欧州特許庁（ＥＰＯ）、米国特許商標庁など）を含む。したがって、この地域団体は、ドキュメント（Ｐ）のパラグラフの内容及びレイアウトの決定に関与する第２のパラメータを構成する。
【００６９】
この例では、第２のパラメータ（ｐ２）の様々な可能な値が、アクション（ｐ１）の種類に関する可能な値に依存することがある。
【００７０】
したがって、値ｖｐ２＝「ＥＰＯ」は、第１のパラメータｐ１の値が、ｖｐ１＝「特許出願を出願する」のときは第２のパラメータｐ２の可能な値であるが、第１のパラメータｐ１の値が、ｖｐ１＝「商標の登録」のときはこの第２のパラメータｐ２の可能な値でない。
【００７１】
第１のパラメータｐ１の可能な値（Ｉｖｐ１）のリスト（即ち、アクションの種類）は、階層的に編成される。
【００７２】
したがって、例えば、第１のパラメータｐ１は、以下の値ｖｐ１、即ち、「任意のアクション−知的所有権」、「任意のアクション−特許」より高いレベルを有する値、「特許出願の出願」及び「年間特許料の支払い」より高いレベルを有する値を取ることができる。
【００７３】
第２のパラメータｐ２の可能な値（Ｉｖｐ２）のリスト、即ちこの例では地域団体は、階層的に編成されてもよい。この場合、これはそうでない。
【００７４】
したがって、ドキュメント（Ｐ）の様々なパラグラフのレイアウトは、１対の値（ｖｐ１、ｖｐ２）、例えば（「特許出願の出願」、「ベルギー」）に対応する。
【００７５】
そのような１対の値は、一般に、生成されるドキュメント（Ｐ）を構成する様々なパラグラフ（ｐａｒｉ）の内容に対応し、そのパラグラフは、データベース（Ｂ）にも記憶される。
【００７６】
したがって、本発明のシステム及び方法は、ユーザが、選択ステップ（Ｓ）において、データベース（Ｂ）に記憶された可能な値（Ｉｖｐ１）のリストの中で最優先のｐ１の値ｖｐ１を選択することを可能にする。
【００７７】
この選択は、例えば、様々な可能な値ｖｐ１が示されるコンピュータ画面によって呈示されたインタフェースによって行われてもよい。
【００７８】
第１のパラグラフｐ１の値ｖｐ１が選択されたときは、例えば、「特許出願を出願する」であり、次に、第２のパラメータｐ２の値ｖｐ２が選択されたとき、例えば「ベルギー」であり、生成モジュール（ＭＧ）は、この生成コンテキストに対応するパラグラフ（ｐａｒｉ）のレイアウト（ＭＰ）と内容を回復させるためにデータベース（Ｂ）にリクエスト（Ｒ）を行う。
【００７９】
所定のパラグラフに関して、内容が存在する場合は、リクエスト（Ｒ）によって返される。しかしながら、内容が、データベース（Ｂ）内にない場合、即ち、パラメータｐ１の選択値に関して、データベースは、内容の値を含まず（例えば、データベース内でフィールドが空である）、リクエスト（Ｒ）は、選択値より高いレベルを有するパラメータｐ１の値に対応する当該のパラグラフの内容を返し、より高いレベルを有するパラメータｐ１の値に対応する内容が、ベース（Ｂ）内に存在しない場合も、リクエスト（Ｒ）は、更に高いレベルを有するパラメータｐ１の値に対応する内容を返し、これはパラグラフの内容が見つかるまで続く。
【００８０】
したがって、「ベルギー」に等しい第２のパラメータｐ２の値ｖｐ２と、この１対の値（ｖｐ１、ｖｐ２）で、パラメータｐ１の選択値ｖｐ１が、「特許出願の出願」の場合は、データベース（Ｂ）は、当該のパラグラフ（ｐａｒｉ）の内容を含まない場合、生成モジュール（ＭＧ）によって行われたリクエスト（Ｒ）は、対（「任意のアクション−特許」、「ベルギー」）に対応する値を返す。
【００８１】
同様に、この対の値（ｖｐ１、ｖｐ２）で、データベース（Ｂ）が、ドキュメント（Ｐ）を構成するすべてのパラグラフ（ｐａｒｉ）の特定のレイアウトを含まない場合は、生成モジュール（ＭＧ）によって作成されたリクエスト（Ｒ）が、対（「任意のアクション−特許」、「ベルギー」）に対応するレイアウトを返す。
【００８２】
データのこの編成によって、特にあるドキュメントから別のドキュメントに繰り返される特定のパラグラフ内容及び／又はレイアウトを相関させることができる。これは、例えば、所定の団体で行われるアクションがどんな種類であっても、ドキュメント（Ｐ）の題名が同じ（「委任状」）になる可能性がある。
【００８３】
委任状が、英語／現地語の２か国語形式の場合、これは、アクションの種類及び／又はアクションが行われる団体がどんなものでも、いくつかのパラグラフが英語で同じままの場合がある。
【００８４】
したがって、この相関により、詳細には、記憶する情報量を減らすことができる。保守も容易になる。これは、例えば、生成される新しいドキュメントの作成の問題であるときに当てはまり、その内容は、データベース（Ｂ）内に存在する他のドキュメントに近い。また、これは、データベース（Ｂ）内にある一連のドキュメントに適用される同じ補正の問題であるときに当てはまることがある。
【００８５】
生成モジュール（ＭＧ）は、次に、パラメータ（ｐｉ）に依存するレイアウト（ＭＰ）によるパラメータ（ｐｉ）の決定値からデータベース（Ｂ）内に得られたパラグラフ（ｐａｒｉ）の様々な内容を入れることによって、電子形式のドキュメント（Ｐ）を生成する。
【００８６】
これにより、パラグラフ（ｐａｒｉ）のいくつかが、データベース（Ｂ）内で部分的に管理されしたがって記憶され（又は、全く管理も記憶もされず）、変数（ｖｉ）の形で表された内容を有することができる。
【００８７】
特許出願を委託する委任状の例では、これは、例えば、変数ｖｉ＝ｎａｍｅ＿ａｐｐｌｉｃａｎｔによって表わされる出願人の名前、又は変数ｖ２＝ｎａｍｅ＿ａｇｅｎｔによって表わされる代理人の名前に対応するパラグラフの場合でよい。次に、これらのデータは、コンピュータの画面上にシステムによって生成された入力フォームによって、及び／又は代理人のデータベースなどの別のデータベース内のリクエストによって得られうる。
【００８８】
次に、これらは、ドキュメント（Ｐ）を生成するために対応するパラグラフ（ｐａｒｉ）と置き換えられる。これらは、データベース内の対応するパラグラフ（ｐａｒｉ）の内容に、変数名（ｖｉ）の形で現われる。
【００８９】
生成モジュールＭＧは、例えば、従来、画面などの表示装置２、ポインティング装置３、及びキーボードなどの入力装置４を含むことがあるコンピュータシステム１、２、３、４の中央ユニット１で実現される。
【００９０】
データベースＢは、生成モジュールＭＧが実行されるコンピュータシステム１、２、３、４の中央ユニット１に記憶されるか、任意のアドホック通信手段によってアクセス可能な別個かつ／又は遠隔記憶装置に記憶されてもよい。
【００９１】
このデータベースＢ自体は、単一記憶装置に記憶されてもよく、互いに離れたいくつかの記憶装置に分散されてもよい。
【００９２】
更に、生成モジュールＭＧは、図１に示されたような単一中央ユニット１上に実現されてもよく、当業者に知られている分散型アーキテクチャにしたがって、互いに離れたいくつかのユニット上に分散され実現されてもよい。
【００９３】
したがって、生成モジュールＭＧによって生成されたドキュメントＰは、例えば、表示装置２に表示されてもよく、中央ユニット１に記憶されてもよく、印刷されてもよい。
【００９４】
しかしながら、通常、生成されたドキュメントＰの表示及び回復は、中央ユニット１から遠隔の装置上で行われ、この遠隔装置は、インターネットなどの通信ネットワークによって中央ユニット１と通信する。より正確に言うと、この場合、本発明のシステムは、様々なパラメータの値を選択するウェブインタフェースを介してこのシステムを使用するユーザが、インターネットやイントラネットなどの通信ネットワークを介してアクセスできるウェブサーバなどの遠隔コンピュータシステムで実現され、ウェブインタフェースは、本発明のコンピュータシステムと従来の方式で通信する。生成されたドキュメントは、このウェブインタフェースからダウンロードされ、また、ウェブインタフェースによって表示されうる。
【００９５】
以上の説明全体は、例として示され、本発明の限定ではない。
【００９６】
詳細には、本発明は、委任状の生成に限定されず、更には知的財産権の分野の委任状の生成にも限定されない。
【００９７】
ドキュメントの内容及びレイアウトが、少なくとも１つのパラメータによってパラメータ化され、その可能な値は、階層的に編成された場合には、他のタイプのドキュメントの生成にも適用できる。
【００９８】
同様に、本発明は、図１に示されたような所定のコンピュータアーキテクチャに限定されない。データベースＢと生成モジュールＭＧは両方とも、同一ユニット上に分散式に実施されてもよく、同一ユニットでも分散式でもなくてもよい。更に、ドキュメントＰの生成は、生成モジュールＭＧが実現されるユニット１内、又は通信ネットワークによって中央ユニットに接続された遠隔ユニットで、又はこれらの両方で行われるのが適切なことがある。
【００９９】
更に、パラグラフの内容とそのレイアウト以外の情報が、パラメータによって決定されてもよい。例えば、委任状の有無、その印刷に使用された紙などが、考えられる。
【図１】
2015519647.tif 000003
【国際調査報告】
2015519647.tif 000004
2015519647.tif 000005
2015519647.tif 000006
2015519647.tif 000007
2015519647.tif 000008
2015519647.tif 000009